(57)【要約】【課題】  レンズが所定の方向に規則性をもって整然と並んで取り出せるようにし、アセンブリ作業時の作業性の向上及び工数減によるコスト減が可能なレンズ収納容器を得る。【解決手段】  光学有効面以外の部位に凸部を有するレンズを複数個並べて収納する筒状のレンズ収納容器で、レンズ収納容器内でレンズの光軸回りの方向の回転を規制するための段差部がレンズの並ぶ方向に沿って形成されているレンズ収納容器とする。【選択図】        図２
2006321497.tif 000002
【特許請求の範囲】
【請求項１】
光学有効面以外の部位に凸部を有するレンズを複数個並べて収納する筒状のレンズ収納容器であって、該レンズ収納容器内で前記レンズの光軸回りの方向の回転を規制するための段差部が前記レンズの並ぶ方向に沿って形成されていることを特徴とするレンズ収納容器。
【請求項２】
光学有効面以外の部位に凸部を有するレンズを複数個並べて収納する筒状のレンズ収納容器であって、該レンズ収納容器内に段差部を前記レンズの並ぶ方向に沿って形成し、前記段差部の側面に前記凸部を対応させて収納されることにより前記レンズの光軸回りの方向の回転規制を行うようにしたことを特徴とするレンズ収納容器。
【請求項３】
前記レンズ収納容器へレンズを挿入する挿入口の少なくとも一方は、レンズ挿入方向に直交する断面が、内部のレンズ収納空間の断面より大きく形成されていることを特徴とする請求項１又は２に記載のレンズ収納容器。
【発明の詳細な説明】
【技術分野】
【０００１】
本発明は、レンズを配列させて収納し、保管や輸送等に使用するレンズ収納容器に関するものである。
【背景技術】
【０００２】
近年、金型加工技術及びレンズの面精度評価技術が向上し、成形により形成されたレンズが多用されるようになっている。また、この成形により形成された多数のレンズは、レンズ収納容器にまとめて収納され、このレンズ収納容器に収納された状態でレンズの保管或いは輸送等がおこなわれている。
【０００３】
このようなレンズ収納容器の例として、レンズ挿入方向に直交する断面形状を、レンズのフランジ部が当接した状態でも、レンズ面は、その光軸方向で間隙を有するように形成した筒状のレンズ収納容器が開示されている（例えば、特許文献１参照）。
【特許文献１】実開平７−３５３８８号公報
【発明の開示】
【発明が解決しようとする課題】
【０００４】
レンズ収納容器に収納されたレンズは、アセンブリ作業時にレンズ収納容器から取り出され、相手部品の所定の位置へ組み込まれる。特に、樹脂材料で成形されたレンズでは、成形条件や、ゲート位置等によりレンズ面形状に微小な規則的なズレを生じる場合があり、組み込み時に、この微小な規則的なズレが問題とならないように、例えばゲート位置を基準にして所定の位置となるよう回転させて位置合わせを行った後、相手部品に組み込む場合がある。
【０００５】
このような場合、収納容器内でレンズが光軸回りに各々回転可能な状態で、規則性を持たずに収納されていると、レンズ収納容器からレンズを取り出したとき、相手部品への組み込み前の位置合わせ時に回転角を個々に異ならせて調整せねばならず、作業性が悪化し工数増となる。
【０００６】
このような問題に対し、上記特許文献１に記載のレンズ収納容器では、容器内でレンズが光軸回りに自由に回転できるため、レンズを取り出したときの状態は任意の方向に回転した状態となり、作業性の悪化、工数増となり、ひいてはコスト増となってしまう問題がある。
【０００７】
本発明は上記問題に鑑み、レンズの収納状態に規則性を持たせ、レンズが所定の方向に規則性をもって整然と並んで取り出せるようにすることで、アセンブリ作業時の作業性の向上及び工数減によるコスト減が可能なレンズ収納容器を得ることを目的とするものである。
【課題を解決するための手段】
【０００８】
上記の目的は、以下の構成により解決することができる。
【０００９】
１）  光学有効面以外の部位に凸部を有するレンズを複数個並べて収納する筒状のレンズ収納容器であって、該レンズ収納容器内で前記レンズの光軸回りの方向の回転を規制するための段差部が前記レンズの並ぶ方向に沿って形成されていることを特徴とするレンズ収納容器。
【００１０】
２）  光学有効面以外の部位に凸部を有するレンズを複数個並べて収納する筒状のレンズ収納容器であって、該レンズ収納容器内に段差部を前記レンズの並ぶ方向に沿って形成し、前記段差部の側面に前記凸部を対応させて収納されることにより前記レンズの光軸回りの方向の回転規制を行うようにしたことを特徴とするレンズ収納容器。
【００１１】
３）  前記レンズ収納容器へレンズを挿入する挿入口の少なくとも一方は、レンズ挿入方向に直交する断面が、内部のレンズ収納空間の断面より大きく形成されている１）又は２）のレンズ収納容器。
【発明の効果】
【００１２】
上記１）又は２）の発明によれば、レンズが規則性をもって並んで取り出せるようになり、アセンブリ作業時に、各々所定の回転角だけ回転させるのみで位置合わせを行うことができるようになり、これによる作業性の向上及び工数減によるコスト減が可能なレンズ収納容器を得ることが可能となる。
【００１３】
更に、収納部の内部形状を単純な形状とすることができ、レンズ収納容器を容易に作成することができ、低コストのレンズ収納容器とすることができる。
【００１４】
上記３）の発明によれば、レンズ挿入時は大きく形成した挿入口とすることで挿入がより容易なレンズ収納容器とすることができる。
【発明を実施するための最良の形態】
【００１５】
以下、実施の形態により本発明を詳しく説明するが、本発明はこれに限定されるものではない。
【００１６】
図１は、本実施の形態に係るレンズ収納容器に収納されるレンズの外形の一例を示す斜視図である。同図（ａ）は、一方のレンズ面側からみた斜視図であり、同図（ｂ）は、他方のレンズ面側からみた斜視図である。
【００１７】
同図に示すように、レンズ収納容器に収納されるレンズ１０は、光学有効面であるレンズ面１１と、レンズ面１１の外周に一体的に形成されたフランジ部１２と、このフランジ部１２に一体的に形成された３箇所の凸部１３ａ、１３ｂ、１３ｃで外形が形成されている。この３箇所の凸部１３ａ、１３ｂ、１３ｃは、特に凸部１３ａ、１３ｃの間が広く形成されている。
【００１８】
以下、本実施の形態に係るレンズ収納容器の一例を図２、図３を用いて説明する。
【００１９】
図２は、本実施の形態に係るレンズ収納容器２０にレンズ１０が収納された状態の断面図である。図３は、本実施の形態に係るレンズ収納容器２０に収納されるレンズ１０の位置関係を示す図である。
【００２０】
図２に示すように、レンズ収納容器２０は、レンズ１０に形成された３箇所の凸部１３ａ、１３ｂ、１３ｃの下端面部を受ける受け部材２２と、この受け部材２２に固定される、断面がコの字状のアングル部材２１で形成されている。
【００２１】
受け部材２２とアングル部材２１は、受け部材２２に形成された突起部２２ｔで溶着されて固定され、図示の如く、内部にレンズ１０が収納される空間が形成されるようになっている。なお、受け部材２２とアングル部材２１の組み立ては、溶着以外の方法、例えば、接着や、形状としてフック部を形成して、これに引っかけて固定するような方法であっても良い。
【００２２】
受け部材２２には、段差部２２ｓが、レンズ１０の並ぶ方向に沿って形成されており、この段差部２２ｓがレンズ１０に形成された凸部１３ａ、１３ｃの側端面と相対するよう、図示の中心線に対して非対称な空間が形成されている。
【００２３】
また、図３に示すように、レンズ収納容器２０は、レンズ１０を複数個並べて収納する筒状のレンズ収納容器であり、レンズ収納容器２０内の段差部２２ｓはレンズ１０の並ぶ方向に沿って形成されており、段差部２２ｓの側面にレンズ１０に形成された凸部１３ａ、１３ｃの側端面を対応させて収納されるようになっている。
【００２４】
このため、レンズ１０の凸部と段差部２２ｓにより、光軸回りの方向の回転規制がなされ、図３に示すように、収納されたレンズ１０は、規則的に整然と並んだ状態で収納される。このように、規則的に整然と並んだ状態で収納できるため、レンズ１０の取り出し時にも、所定の方向に規則性をもって取り出すことができ、以降のアセンブリ作業時の作業性の向上及び工数減によるコスト減の可能なレンズ収納容器となる。
【００２５】
また、収納部の内部形状が単純な形状であり、レンズ収納容器を容易に作成することができ、レンズ収納容器そのものも低コストとすることができる。
【００２６】
更には、図３のように、レンズ１０のゲート１０ｇを、収納配列時にレンズ同士が接する位置以外に形成してある場合には、所定数のレンズを収納した場合の収納長のバラツキを小さく抑えることができ、１つのレンズ収納容器に収納するレンズの数を同数とすることができる副次的効果をも有するものである。
【００２７】
また、レンズ収納容器２０の両端に形成された、レンズ１０の挿入口では、受け部材２２、受け部材２２の段差部２２ｓ、アングル部材２１により形成される開口部のレンズ１０の挿入方向に直交する断面が、内部のレンズ収納空間の断面より大きく形成されていることが好ましい。例えば、図３に示したように、レンズ挿入部を傾斜面で形成することで、レンズ挿入口は大きな開口部となり、挿入がより容易なレンズ収納容器とすることができる。
【００２８】
なお、３０はキャップ部材であり、受け部材２２とアングル部材２１で形成されたレンズ挿入部に装着され、レンズ１０の脱落を防止するものである。キャップ部材３０には爪部３０ｔが形成されており、アングル部材２１の外側面に形成された凹部２１ｋと係合して固定される。また、一体的に形成されたバネ部３０ｄは、装着時に最端部に位置するレンズのフランジ部に当接し、その弾性力によりレンズを押圧して、レンズ収納容器内部のレンズを相互に当接させておき、輸送時等に振動が与えられても、内部でレンズ相互の衝突や離間が発生しないようにするものである。
【００２９】
以下、図４、図５を用い、本実施の形態に係るレンズ収納容器の変形例を説明する。
【００３０】
図４は、光学有効面以外の部位に凸部を有するレンズ１０のその他の例を示す図である。図５は、図４に示すレンズ１０が収納された状態のレンズ収納容器２０の断面図である。
【００３１】
図４に示すように、収納されるレンズ１０は、光学有効面であるレンズ面１１と、レンズ面１１の外周に一体的に形成されたフランジ部１２と、このフランジ部１２に一体的に形成された２箇所の凸部１３ｄ、１３ｅで外形が形成されている。
【００３２】
図５に示すように、レンズ収納容器２０は、レンズ１０に形成されたフランジ部１２を受ける受け部材２２と、この受け部材２２に固定される、断面がコの字状のアングル部材２１で形成されている。受け部材２２とアングル部材２１は、図２と同様に固定されている。
【００３３】
受け部材２２には、段差部２２ｓが、レンズ１０の並ぶ方向に沿って形成されており、この段差部２２ｓの側面に、レンズ１０に形成された凸部１３ｄ、１３ｅを、相対させてレンズを収納できるように空間が形成されている。
【００３４】
このような構成でも上述と同様の効果を得ることができる。
【図面の簡単な説明】
【００３５】
【図１】本実施の形態に係るレンズ収納容器に収納されるレンズの外形の一例を示す斜視図である。
【図２】本実施の形態に係るレンズ収納容器にレンズが収納された状態の断面図である。
【図３】本実施の形態に係るレンズ収納容器に収納されるレンズの位置関係を示す図である。
【図４】光学有効面以外の部位に凸部を有するレンズのその他の例を示す図である。
【図５】図４に示すレンズが収納された状態のレンズ収納容器の断面図である。
【符号の説明】
【００３６】
１０  レンズ
１１  レンズ面
１２  フランジ部
１３  凸部
２０  レンズ収納容器
２１  アングル部材
２２  受け部材
３０  キャップ部材
【図１】
2006321497.tif 000003
【図２】
2006321497.tif 000004
【図３】
2006321497.tif 000005
【図４】
2006321497.tif 000006
【図５】
2006321497.tif 000007